(57)【要約】【課題】  試料管を簡便に保温しながら確実に搬送することができる試料管保温トレー及びマルチウエルプレートを簡便に保温しながら搬送することができるマルチウエルプレート用保温箱を提供する。【解決手段】  液状の保温剤を封入可能な箱状の保温容器本体２ａの上面から内部側へ凹んで一つの試料管を保持して収容するように設けられた少なくとも一つの試料管保持部５ａを備える試料管保温トレー１ａとする。複数のウエル４０１が配列されているマルチウエルプレート４００の周縁に設けられている側面リブ４０２の中に収まる液状の保温剤を封入可能な箱状の保温箱本体１１が、マルチウエルプレート４００のウエル４０１の外面に熱を伝播する伝熱面を有するマルチウエルプレート用保温箱１０とする。【選択図】    図１
2006030144.tif 000002
【特許請求の範囲】
【請求項１】
液状の保温剤を封入可能な箱状の保温容器本体の上面から内部側へ凹んで一つの試料管を保持して収容するように設けられた少なくとも一つの試料管保持部を備えることを特徴とする試料管保温トレー。
【請求項２】
請求項１記載の試料管保温トレーにおいて、
前記試料管保持部を含む前記保温容器本体の上部から構成される保温容器上側部と前記保温容器本体の下部から構成される保温容器下側部とに分離されていることを特徴とする試料管保温トレー。
【請求項３】
請求項１又は２記載の試料管保温トレーにおいて、
前記保温容器本体に前記保温剤を封入してなることを特徴とする試料管保温トレー。
【請求項４】
複数のウエルが配列されているマルチウエルプレートの周縁に下方に向かって延伸して設けられている枠状の側面リブの中に収まる液状の保温剤を封入可能な箱状の保温箱本体が、前記マルチウエルプレートの前記ウエルの外面に熱を伝播する伝熱面を有することを特徴とするマルチウエルプレート用保温箱。
【発明の詳細な説明】
【技術分野】
【０００１】
本発明は、創薬、ゲノム、再生医療などに用いられるサンプルを入れる試料管を一定温度に保って搬送する試料管保温トレー等に関する。
【背景技術】
【０００２】
創薬、製薬における生体試料分析、ゲノム、再生医療においては、サンプルを入れたスクリュー管、試験管、バイアル、セイフロックチューブなどの試料管を低温に保温しながら搬送したり、あるいは細胞や臓器などのサンプルでは、人体の温度に近い温度で保温しながら搬送する必要が生じる。
【０００３】
従来、このような試料管の低温搬送には、例えば、発泡スチロールなどの断熱材で構成された保温箱の中に粒状のドライアイスを詰め、ドライアイスの中に試料管を差し込んで搬送する方法がある。
また、複数個の試料管を立てる試料管立てに試料管を載置し、この試料管立てを箱の中に収容し、その箱の外側を冷凍しながら搬送する方法がある。
【発明の開示】
【発明が解決しようとする課題】
【０００４】
しかしながら、保温箱の中にドライアイスと共に試料管を入れる方法は、ドライアイスが昇華すると、試料管相互を隔てていたドライアイスがなくなり、試料管同士が搬送中にぶつかって壊れてしまうおそれがある。
【０００５】
また、試料管を入れた試料管立てを収容した箱の外側を冷凍しながら搬送する方法では、搬送方法が大がかりになり、搬送コストが上昇してしまうという問題点がある。
また、上記サンプルを保管、搬送する容器として、複数のウエルが規則正しく配置されたマルチウエルプレートも用いられる。マルチウエルプレートの保温搬送にも同様の問題がある。
【０００６】
本発明は、上記事情に鑑みてなされたもので、試料管を簡便に保温しながら確実に搬送することができる試料管保温トレーを提供することを目的とする。
【０００７】
また、本発明は、マルチウエルプレートを簡便に保温しながら搬送することができるマルチウエルプレート用保温箱を提供することを目的とする。
【課題を解決するための手段】
【０００８】
上記目的を達成するため、本発明は、第１に、液状の保温剤を封入可能な箱状の保温容器本体の上面から内部側へ凹んで一つの試料管を保持して収容するように設けられた少なくとも一つの試料管保持部を備えることを特徴とする試料管保温トレーを提供する。
【０００９】
この試料管保温トレーは、保温容器本体の中に保冷剤等の保温剤を封入し、例えば冷凍庫の中で保冷剤を凍らせた後、冷凍庫から取り出し、試料管保持部にサンプルを入れた試料管を収容し、試料管を試料管保持部で保持させて搬送する。試料管保持部で保持されている試料管はそのままで試料管立てとして搬送することができると共に、保温容器本体の中の保温剤が保温容器本体の中に進入している試料管保持部の中を一定の温度に保つことができる。
そのため、本発明の試料管保温トレーは、各試料管毎に独立して保持しながら保温できるため、試料管を簡便に保温しながら確実に搬送することができる。
【００１０】
また、本発明は、第２に、第１の試料管保温トレーにおいて、前記試料管保持部を含む前記保温容器本体の上部から構成される保温容器上側部と前記保温容器本体の下部から構成される保温容器下側部とに分離されていることを特徴とする試料管保温トレーを提供する。
【００１１】
保温容器本体を上側部と下側部に分離することにより、試料管保持部を含む複雑な形状の上側部を一体成形で作製し、一体成形した下側部と組み合わせて保温容器本体を構成することが可能となる。
【００１２】
また、本発明は、第３に、第１又は第２記載の試料管保温トレーにおいて、前記保温容器本体に前記保温剤を封入してなることを特徴とする試料管保温トレーを提供する。
【００１３】
保温容器本体の中に保温剤を封入することによって本発明の試料管保温トレーは保温が可能となる。
【００１４】
更に、本発明は、複数のウエルが配列されているマルチウエルプレートの周縁に下方に向かって延伸して設けられている枠状の側面リブの中に収まる液状の保温剤を封入可能な箱状の保温箱本体が、前記マルチウエルプレートの前記ウエルの外面に熱を伝播する伝熱面を有することを特徴とするマルチウエルプレート用保温箱を提供する。
【００１５】
このマルチウエルプレート用保温箱は、マルチウエルプレートの側面リブの中に収まる箱状の形状であるため、小型であり、ウエルの外面に熱を伝播する伝熱面を介して保温剤の熱をウエルに伝えることができるため、ウエルの中を簡便に保温することができる。
【発明の効果】
【００１６】
本発明の試料管保温トレーは、試料管を簡便に保温しながら確実に搬送することができる。
本発明のマルチウエルプレート用保温箱は、マルチウエルプレートを簡便に保温しながら搬送することができる。
【発明を実施するための最良の形態】
【００１７】
以下、本発明の試料管保温トレー及びマルチウエルプレート用保温箱の実施の形態について説明するが、本発明は以下の実施の形態に限定されるものではない。
図１に、本発明の試料管保温トレーの第１実施形態を示す。図１（ａ）は平面図、図１（ｂ）は分解断面図である。
【００１８】
本発明の試料管保温トレーの保温、搬送の対象となる試料管としては、創薬、製薬における生体試料分析、化学分析、食品分析、ゲノム、再生医療において用いられるサンプルを密封するスクリュー管、試験管、バイアル、セイフロックチューブ、フラスコ、ビーカーなどを例示することができる。スクリュー管は、ガラス製又は樹脂製のサンプル管がパッキン付のスクリューキャップで密封可能になっているものである。バイアルは、ガラス製やポリプロピレン製の円錐形や平底筒型のバイアルビンにセプタムを嵌め込んだバイアルキャップを被せて密封できる構造になっている。セイフロックチューブは、エッペンドルフ株式会社から提供されるものが代表的である。図１（ｂ）に示すように、セイフロックチューブ１００は、樹脂製のチューブ１０１を蓋１０２で密封できると共に、蓋１０２に設けられているフック１０３でチューブ１０１の縁をホールドすることによる蓋止め機構が設けられている。
【００１９】
第１実施形態の試料管保温トレー１ａは、このようなセイフロックチューブ１００の保温、搬送に好適である。この試料管保温トレー１ａは、液状の保温剤を封入可能な矩形箱状の保温容器本体２ａを有し、この保温容器本体２ａは保温容器上側部３ａと保温容器下側部４ａの２つの部材が組み合わされて構成されている。
【００２０】
保温容器上側部３ａは、樹脂製の矩形板状の上面板部３１ａの中央部に上面に開口部が形成されている垂直方向の有底円筒型の試料管保持部５ａが一体に複数個設けられている。試料管保持部５ａは上面板部３１ａの上面から保温容器本体２ａ内部側へ凹んで一つの試料管を保持して収容するように設けられている。各試料管保持部５ａは、互いに離間し、所定のピッチで配列されている。試料管保持部５ａの内径はセイフロックチューブ１００の外径より極わずか大きく、セイフロックチューブ１００を試料管保持部５ａに挿入すると、セイフロックチューブ１００のチューブ１０１上端縁の膨らみが試料管保持部５ａの上端開口縁に当たり、セイフロックチューブ１００が試料管保持部５ａに保持され、収容されるようになっている。上面板部３１ａの下面外周部には、中央部の複数個の試料管保持部５ａを取り囲んでリング状の突起部３２が設けられている。また、上面板部３１ａの突起部３２の外周側の複数箇所にボルト６を通すボルト穴３３が穿設されている。
【００２１】
保温容器下側部４ａは、上部が開放された矩形箱状であり、上端縁に沿って外方に張り出した厚みのあるリング状のフランジ部４１が一体に設けられている。フランジ部４１の平面形状は上面板部３１ａとほぼ同一である。フランジ部４１には上面板部３１ａの下面外周部に設けられている突起部３２が収まるリング状の溝部４２が設けられ、溝部４２の内底面にはリング状のパッキン７が配設されている。フランジ部４１の外周部には、上面板部３１ａのボルト穴３３に対応する位置にボルト６がねじ込まれるねじ穴４３が設けられている。図面では１０箇所のボルト穴３３とねじ穴４３が設けられている。保温容器上側部３ａと保温容器下側部４ａとを組み合わせると、それぞれのボルト穴３３とねじ穴４３の位置が一致し、溝部４２の中のパッキン６に突起部３２の先端が当接するようになっている。ボルト６をボルト穴３３を通してねじ穴４３にねじ込むことにより、突起部３２の先端がパッキン７に向かって前進し、突起部３２の先端がパッキン７へ圧接し、保温容器下側部４ａの空間が蓋のように機能する保温容器上側部３ａによって密封されると共に、保温容器上側部３ａと保温容器下側部４ａが組み合わされて保温容器本体２ａが構成されるようになっている。
【００２２】
また、保温容器下側部４ａには、図１（ｂ）に示すように、内部に液状の保温剤を注入したり排出するための注入口４４が設けられている。注入口４４は樹脂製の密栓４５によって閉塞される。
【００２３】
保温容器上側部３ａと保温容器下側部４ａはそれぞれ樹脂の一体成形で形成され、それぞれの壁の厚さは０．５〜５ｍｍ程度である。保温容器本体２ａを保温容器上側部３ａと保温容器下側部４ａの２つの部材に分離することにより、それぞれを一体成形することが可能となる。試料管保持部５ａの内径は収容するセイフロックチューブ１００の外径に応じて５〜１５ｍｍ程度、深さは１０〜５０ｍｍ程度、試料管保持部の数は１０〜４０個程度とすることができる。上面板部３１ａの大きさは、幅が５０〜２００ｍｍ程度、長さは７０〜２５０ｍｍ程度とする。全体の高さは３０〜１００ｍｍ程度とすることが好ましい。
【００２４】
図１に示した試料管保温トレー１ａの具体的な寸法を示すと、試料管保持部５ａの内径は約１０ｍｍ、深さは約１８ｍｍで２４個が設けられ、全体の高さは約４０ｍｍ、幅は約８０ｍｍ、長さは１０５ｍｍ、厚さは約２ｍｍ、保温剤が充填される空隙の容積は約８６ｍｌである。
【００２５】
試料管保温トレー１ａを構成する樹脂の種類に制限はなく、例えばポリエチレン、ポリプロピレン等のポリオレフィン樹脂、ポリスチレン、ＡＢＳ樹脂、ポリエチレンテレフタレート、ポリブチレンテレフタレート等のポリエステル樹脂、ポリアミド樹脂等を例示することができる。また、保温容器上側部３ａと保温容器下側部４ａの材質を異ならしめることも可能である。
【００２６】
試料管保温トレー１ａの中に封入される保温剤としては、液状で、一定の温度で固体から液体に変化し、一定の温度を保つものであれば、保冷剤、蓄熱剤のいずれも使用可能である。近年、高性能な保冷剤が開発されており、本発明の試料管保温トレーはこのような高性能な保冷剤の開発があって初めて可能になったといえる。保冷剤として、例えば、株式会社川合技研が開発した恒温氷結体といわれる商品名ネオアイスを好適に用いることができる。この恒温氷結体は家庭用冷凍庫で氷結体となることによって例えば−１３℃〜−１８℃という固有の冷凍温度を長時間保つとされている。例えば、内径が縦２２ｃｍ、横３０ｃｍ、厚み２．５ｃｍの発泡スチロールにネオアイス５５０ｍｌを入れた場合に、−１３℃を約１５時間保持できるといわれている。ネオアイスは、主成分が塩化カリウム、塩化ナトリウム、増粘剤であり、凍結しても容積が変化しないという特徴も有する。ネオアイスには恒温温度が−５℃、−１３℃、−１６℃、−２６℃の種類があり、目的によって選択することができる。ドライアイスの−７６℃という極低温は人体が触れると危険であるが、ネオアイスは人体に安全な温度である。
【００２７】
また、細胞や臓器のサンプルを例えば３７℃という人体の温度に近い温度に保温して搬送する場合は、株式会社フタバ化学製の商品名エッカという蓄熱剤を用いることが好ましい。この蓄熱剤は、冷却すると固体（ゲル状）から液体になり、更に冷却すると液体から固体へと可逆的に変わる性質を有し、０〜７０℃の生活温度範囲でこれらの２点の融点（凝固点）の温度を変更設定することが可能であるという特徴がある。また、保冷、保温力が水の３倍強であり、蓄冷、蓄熱媒体として有用である。
【００２８】
図１に示した試料管保温トレー１ａの使用方法は、準備段階として、保温容器上側部３ａと保温容器下側部４ａとをボルト６で組み立てて保温箱本体２ａを作製する。次に、注入口４４から保冷剤を内部に注入し、内部空間を保冷剤で全て充填し、密栓４５で注入口４４を塞ぎ、保冷剤を封入する。保冷剤を封入した試料管保温トレー１ａを例えば冷凍庫に入れ、保冷剤を凍結させる。そして、使用時に冷凍庫から取り出し、冷凍して搬送するべきサンプルを封入したセイフロックチューブ１００を各試料管保持部５ａに挿入すると、セイフロックチューブ１００は各試料管保持部５ａで垂直方向に立ったまま保持される。各々の試料管保持部５ａの周りが凍結した保冷剤で囲まれ、試料管保持部５ａの中は、凍結した保冷剤によって一定の温度に保たれる。試料管保温トレー１ａは、例えば発泡スチロール等の断熱材で構成される保温箱の中に収容して搬送することが好ましい。試料管保持部５ａの中に収容されたセイフロックチューブ１００を長時間冷凍しつつ、安定に保持しながら搬送することができる。
【００２９】
保温剤として、蓄熱剤を用いる場合も、蓄熱剤を封入した試料管保温トレー１ａを加熱炉の中に入れて蓄熱剤を一定の温度に加熱した後、取りだして、セイフロックチューブ１００を各試料管保持部５ａに挿入し、保温箱の中に試料管保温トレー１ａを収容して搬送することができる。
【００３０】
このように、第１実施形態の試料管保温トレー１ａは、箱状のコンパクトな保温容器本体２ａの試料管保持部５ａ毎に試料管１００をそれぞれ保持すると共に保温しながら搬送することができるため、試料管を簡便に保温しながら確実に搬送することができる。
【００３１】
また、図２は、第２実施形態の試料管保温トレーを示すもので、図２（ａ）は平面図、図２（ｂ）は分解断面図である。第２実施形態の試料管保温トレーは例えば試験管の保温、搬送に用いられる。
【００３２】
第２実施形態の試料管保温トレー１ｂは、第１実施形態の試料管保温トレー１ａとほぼ同じ構造を有し、保温容器本体２ｂは保温容器上側部３ｂと保温容器下側部４ｂとの２つの部材に分離されている。保温容器下側部４ｂの上端縁の周縁部から外方に全周にわたって張り出したフランジ部４１と保温容器上側部３ｂのほぼ正方形板状の上面板部３１ｂとを相互に固定する８本のボルト６によって一体化されて保温容器本体２ｂが形成されていると共に、フランジ部４１に設けられた全周に亘る溝部４２に収まっているパッキン７に保温容器上側部３ｂの上面板部３１ｂの下面から全周に亘って突出している突起部３２の先端が圧接していることにより、保温容器本体２ｂの内部空間が密封されている。保温容器上側部３ｂの上面板部３１ｂから内部側へ凹んで一つの試験管を収容するような形状の垂直方向の有底筒状の試料管保持部５ｂが保温容器本体２ｂの上面中央部に図面では４個互いに離間して設けられている。保温容器下側部４ｂには液状の保温剤を注入するための注入口４４が設けられ、樹脂製の密栓４５によって栓ができるようになっている。
【００３３】
第２実施形態の試験管用の試料管保温トレー１ｂの寸法は、例えば試料管保持部５ｂの内径は３０±２０ｍｍ、深さは１００±５０ｍｍ、試料管保持部の数は４〜１０個程度、全体の幅は１００±１００ｍｍ、長さは１００±１００ｍｍ、高さは１２０±５０ｍｍ程度である。図２に示す試料管保温トレー１ｂの具体的な寸法は、試料管保持部５ｂの内径は約３０ｍｍ、深さは約１００ｍｍ、個数は４個であり、全体の幅と長さが１２３ｍｍ、深さが１３０ｍｍ程度である。
【００３４】
図２に示す第２実施形態の試料管保温トレー１ｂは、４本の試験管２００をそれぞれ試料管保持部５ｂに収容して試験管立ての如く試験管２００を保持できると共に、保温容器本体２ｂ内に充填された保温剤が各々の試料管保持部５ｂの周囲を覆っているため試験管２００内部を保温剤の保温作用により一定温度に保つことができる。そのため、簡易でコンパクトな構造でありながら試験管２００の破損を防止して保温、搬送することができる。
【００３５】
図３は第３実施形態の試料管保温トレーを示すもので、図３（ａ）は平面図、図３（ｂ）は縦断面図である。この試料管保温トレー１ｃは小型なセイフロックチューブ３００を保温しながら搬送する用途に用いられる。図３の試料管保温トレー１ｃは保温容器本体を２つの部材で構成せずに一体化している構造としている。保温容器本体２ｃの上面から内部側へ凹んで一つのセイフロックチューブを収容するような形状の有底筒状の試料管保持部５ｃが保温容器本体２ｃの上面に図面では３５個設けられている。試料管保持部５ｃは、互いに離間し、所定のピッチで配列されている。試料管保持部５ｃの内径は約８．５ｍｍ、深さは約３８ｍｍである。全体の幅が約８０ｍｍ、長さが約１２５ｍｍ、高さが約４２ｍｍである。
【００３６】
図３に示す第３実施形態の試料管保温トレー１ｃは、簡易な構造でありながら、３５個の小型のセイフロックチューブ３００を試料管保持部５ｃで安定に保持しながら、各々の試料管保持部５ｃを取り囲む保温剤の保温作用で保温搬送することができる。
【００３７】
図４は、本発明のマルチウエルプレート用保温箱の一実施形態を示すもので、図４（ａ）は平面図、図４（ｂ）は縦断面図である。このマルチウエルプレート用保温箱は、図４の破線で示すような複数のウエルが規則正しく配置されたマルチウエルプレート４００の保温を行うものである。
【００３８】
創薬開発研究、ＤＮＡ解析、タンパク解析などでは、複数のウエルが規則正しく配置されたマルチウエルプレートが用いられる。マルチウエルプレートを使用することにより、一枚のプレートで多くのサンプルを扱い、実験の効率化を図ることができる。マルチウエルプレートの大きさ及び形は世界的にほぼ統一されており、形状は同じであるが、ウエルの大きさにより、４ウエル、１２ウエル、２４ウエル、４８ウエル、９６ウエル、３８４ウエルなどのバリエーションがあり、使用目的によって使い分けされる。本発明のマルチウエルプレート用保温箱は、いずれのマルチウエルプレートにも適用することができる。
【００３９】
図４の破線で示したマルチウエルプレート４００は、横１２列、縦８行の合計９６のウエル４０１が設けられている９６ウエルである。透明なポリスチレン樹脂で一体成形され、ウエル４０１の底面が平板状になっている。マルチウエルプレート４００の各ウエル４０１の開口部の周縁は、上面からやや突き出たリブ状になっている。また、マルチウエルプレートの周縁には、マルチウエルプレートを平板上に安定して載置するための下方に向かって延伸して設けられている枠状の側面リブ４０２を有する。また、マルチウエルプレート４００の一角に位置決めのための切り欠き部４０３が設けられている。マルチウエルプレート４００の側面リブ４０２には外方に突出した段差部４０４が設けられ、この段差部４０４にマルチウエルプレートの上面全体を覆う図示しない蓋の下端縁を載置して蓋を被せることができるようになっている。
【００４０】
マルチウエルプレート４００においてもウエル４０１の中のサンプルを保温しながら搬送することが要求される場合がある。そのような場合に、本発明のマルチウエルプレート用保温箱を用いることができる。
【００４１】
このマルチウエルプレート用保温箱１０は、マルチウエルプレート４００の側面リブ４０２の中に上部が収まる矩形箱形状の保温容器本体１１を有する。保温容器本体１１は液状の保温剤を封入可能になっている。保温容器本体１１の上面には、上面から突出し、マルチウエルプレート４００のウエル４０１の平坦な外底面に近接する上面が平らな矩形状の突出部１２が、ウエル４０１が存在する領域全体に亘り、マルチウエルプレート４００の切り欠き部４０３や側面リブ４０２を補強する図示しないリブなどを避けて保温容器本体１１の外周縁から少し中心側に距離を置いて設けられている。
【００４２】
図４に示したマルチウエルプレート４００のウエル４０１の外底面は連続して一枚の平板状になっているため、ウエル４０１を保温剤で囲んでウエル４０１毎に保温することはできない。そのため、ウエル４０１全部の外底面に亘る矩形板状の突出部１２を設け、この突出部１２をウエル４０１の外底面に近接する伝熱面とし、ウエル４０１の外底面を介して保温容器本体１１内の保温剤との温度差による伝熱を行う構造となっている。
【００４３】
図４に示すマルチウエルプレート用保温箱１０の具体的な寸法は、突出部１２が幅が約７３±３ｍｍ、長さが約１１０±５ｍｍ、高さが約５±４ｍｍ、保温容器本体１１の幅が約８０±５ｍｍ、長さが約１２３±５ｍｍ、高さが約４４±２０ｍｍである。
【００４４】
このマルチウエルプレート用保温箱１０の使用方法は、保温容器本体１１内に図示しない注入口から保温剤を充填し、全体を冷凍庫又は加熱炉に入れ、保温剤を固有の相変化を起こす所定の温度を超える温度に冷凍又は加熱する。マルチウエルプレート用保温箱１０を冷凍庫又は加熱炉から取り出し、保温が必要なマルチウエルプレート４００をマルチウエルプレート用保温箱１０の上面に載置する。これにより、マルチウエルプレート４００の側面リブ４０２がマルチウエルプレート用保温箱１０の上面の外周面に嵌り、位置が固定されると共に、ウエル４０１の外底面が伝熱面としての突出部１２と接触又は近接してウエル４０１の保温が開始される。この状態のまま、あるいは発泡スチロールなどの保温箱の中に収容して搬送することができる。
【００４５】
このように本実施形態のマルチウエルプレート用保温箱１０は、マルチウエルプレート４００を搬送する際に、マルチウエルプレートとほぼ同じ投影面積で小型でありながら、ウエルを簡便に保温しながら搬送することができる。
【００４６】
この実施形態のマルチウエルプレート用保温箱１０では、平坦な突出部１２を設けてウエル４０１の外底面を介して伝熱するようにしていたが、ウエル４０１が独立して形成されている場合には、ウエル毎の保温容器本体１１に内部側に凹む穴を形成し、ウエル毎に保温する構造とすることができる。
【００４７】
上記試料管保温トレーの説明では、試料管保持部を有底円筒状として説明しているが、試料管の形状に応じて変更可能であり、例えば円錐型としても良い。また、例えばフラスコを保温搬送する場合には、試料管保温トレーの試料管保持部をフラスコの膨らんだ胴部を挿入可能な大きな内径とし、フラスコの円筒状の口の周りの試料管保持部の空隙を閉塞するような部材を設置して搬送することができる。
【産業上の利用可能性】
【００４８】
本発明の試料管保温トレーは、創薬、製薬における生体試料分析、化学分析、食品分析、ゲノム、再生医療において用いられるサンプルを密封した試料管を保温しながら搬送することができるため、これらの産業に利用することができる。
また、本発明のマルチウエルプレート用保温箱は、創薬開発研究、ＤＮＡ解析、タンパク解析を行うサンプルを入れて試験を行うマルチウエルプレートを保温することができるため、特にバイオ産業に利用可能である。
【図面の簡単な説明】
【００４９】
【図１】本発明の試料管保温トレーの第１実施形態を示すもので、（ａ）は平面図、（ｂ）は分解断面図である。
【図２】本発明の試料管保温トレーの第２実施形態を示すもので、（ａ）は平面図、（ｂ）は分解断面図である。
【図３】本発明の試料管保温トレーの第３実施形態を示すもので、（ａ）は平面図、（ｂ）は縦断面図である。
【図４】本発明のマルチウエルプレート用保温箱の一実施形態を示すもので、（ａ）は平面図、（ｂ）は縦断面図である。
【符号の説明】
【００５０】
１ａ、１ｂ、１ｃ：    試料管保温トレー
２ａ、２ｂ、２ｃ：    保温容器本体
３ａ、３ｂ：          保温容器上側部
４ａ、４ｂ：          保温容器下側部
５ａ、５ｂ、５ｃ：    試料保持部
６：                  ボルト
７：                  パッキン
１０：                マルチウエルプレート用保温箱
１１：                保温容器本体
１２：                突出部
３１ａ、３１ｂ：      上面板部
３２：                突起部
４１：                フランジ部
４２：                溝部
４３：                ねじ穴
４４：                注入口
４５：                密栓
１００：              セイフロックチューブ
２００：              試験管
３００：              セイフロックチューブ
４００：              マルチウエルプレート
４０２：              側面リブ
【図１】
2006030144.tif 000003
【図２】
2006030144.tif 000004
【図３】
2006030144.tif 000005
【図４】
2006030144.tif 000006